(57)【要約】【課題】建物の構造に影響を与えることなく、作業者が機械室内に容易に入ることができる等のエレベータを得ることを目的とする。【解決手段】エレベータ１は、昇降路１０２の上部で壁１０３に囲まれて形成された機械室１０４と、機械室１０４内に設けられた巻上機１１０と、床面１０６に配置され、巻上機１１０を支持固定する機械台４と、機械台４に支持され、床面１０６全体を覆う床板５とを備えている。壁１０３には、下部に敷居面１１４を有する出入口１１５が設けられている。機械台４は、複数（例えば４本）配置されている。機械台４が例えば４本配置されることにより１本当たりの重量負荷が小さくなり、各機械台４の大きさが小さくなっている。従って、作業者は、建物の構造に影響を与えずに敷居面１０６を低くして機械室１０４に入れるとともに、機械室１０４内でも容易に移動できる。【選択図】　　　　図１
2004018145.tif 000002
【特許請求の範囲】
【請求項１】
昇降路の上部で壁に囲まれて形成された機械室と、
前記機械室内に設けられ前記昇降路内のかご及びつり合いおもりをロープを介して駆動する巻上機と、
前記機械室内の床面に配置され、前記巻上機を上に乗せて支持固定する機械台と、
前記機械室内で前記機械台に支持され、少なくとも前記巻上機の周辺部で水平方向に延びた床板とを備えていることを特徴とするエレベータ。
【請求項２】
前記機械室内に設けられるとともに前記巻上機に電気的に接続され、前記巻上機の駆動を制御する制御盤をさらに備え、
前記床板は、前記制御盤の周辺部にまで水平方向に延びていることを特徴とする請求項１に記載のエレベータ。
【請求項３】
前記壁には、前記機械室内に出入りする出入口が設けられており、
前記床板は、前記床面全体を覆い、前記床板の上面が前記出入口の敷居面と同一高さとなっていることを特徴とする請求項１又は請求項２に記載のエレベータ。
【請求項４】
前記機械台は、複数配置され、各機械台の重量負担が軽減されることにより、大きさが小さくなっていることを特徴とする請求項１乃至請求項３の何れかに記載のエレベータ。
【請求項５】
前記機械台は、軸線を有する梁であり、
中空で、前記軸線に垂直な平面に沿った断面形状が矩形状となっていることを特徴とする請求項１乃至請求項４の何れかに記載のエレベータ。
【発明の詳細な説明】
【０００１】
【発明の属する技術分野】
この発明は、昇降路上部の機械室内に設けられた巻上機によってかご及びつり合いおもりを駆動するエレベータに関するものである。
【０００２】
【従来の技術】
図３は、従来のエレベータの構成を示す側断面図であり、図４は、図３のＩＶ−ＩＶ線に沿った断面図である。なお、図３は、図４のＩＩＩ−ＩＩＩ線に沿った断面図である。図３及び図４において、エレベータ１０１は、昇降路１０２の上部で壁１０３に囲まれて形成された機械室１０４を備えている。壁１０３は、昇降路１０２と機械室１０４とを仕切る仕切り壁１０５を有している。この仕切り壁１０５の上面が機械室１０４の床面１０６となっている。このエレベータ１０１は、機械室１０４内に設けられ、かご１０７とつり合いおもり１０８とをロープ１０９を介して駆動する巻上機１１０を備えている。また、エレベータ１０１は、機械室１０４内で床面１０６上に配置され、巻上機１１０を上に乗せて支持固定する梁である機械台１１１を２本備えている。この機械台１１１は、主に巻上機１１０、かご１０７及びつり合いおもり１０８の重量を２本で支えることができる程度の強度を有しており、この強度に対応した大きさとなっている。なお、機械室１０４内には、制御盤１２０が設けられている。
【０００３】
壁１０３は、機械室１０４と隣の空間１１２とを仕切る側壁１１３を有しており、その側壁１１３には、下部に敷居面１１４を有する出入口１１５が設けられている。作業者は、隣の空間１１２からこの出入口１１５を通って機械室１０４内に入り、機械室１０４内の巻上機１１０あるいは制御盤１２０等の機器類を保守点検等する。
【０００４】
仕切り壁１０５は、隣の空間１１２を一部形成する床壁１１６よりも低く配置されている。また、床面１０６上に設けられた機械台１１１の上面１１７は、敷居面１１４よりも低くなっている。即ち、敷居面１１４と床面１０６との高さ差Ｈが機械台１１１の上面１１７と床面１０６との高さ差ｈよりも大きくなっている。
【０００５】
このように構成されたエレベータ１０１は、出入口１１５の敷居面１１４よりも機械台１１１の上面１１７が低くなっているので、機械台１１１が出入口１１５にはみ出して作業者の出入りの邪魔になることがない。また、床壁１１６が仕切り壁１０５よりも高い位置にあるので、床壁１１６の上面１１６ａと敷居面１１４との高さ差が小さくなり、作業者は容易に隣の空間１１２から敷居面１１４を跨いで機械室１０４に入ることができる。
【０００６】
【発明が解決しようとする課題】
しかしながら、このエレベータ１０１においては、機械室１０４内の床面１０６上に２本の機械台１１１が配置されているため、機械室１０４内に入った作業者は機械台１１１に乗って、あるいは機械台１１１を跨いで歩かなければならず、移動が困難で、さらにつまずいて転ぶ可能性もあるという問題点があった。
【０００７】
また、機械台１１１が出入口１１５にはみ出さないようにするために、仕切り壁１０５が床壁１１６よりも低くなっているが、このように仕切り壁１０５と床壁１１６とが異なる高さに設けられる必要があるため、建物自体の強度設計、あるいは建物の内部空間のレイアウト設計等に支障が生じ、また建物を建てる上でも手間がかかり多大なコストがかかるという問題点があった。
また、建物の構造に影響を与えないように仕切り壁１０５と床壁１１６とが同一高さに設けられていたとしても、機械室１０４内の機械台１１１が出入口１１５にはみ出さないように敷居面１１４の高さを機械台１１１の上面１１７の高さよりも高くする必要があることから、床壁１１６の上面１１６ａと敷居面１１４との高さ差が大きくなり、作業者は踏み台を使わなければ出入口１１５を通って機械室１０４内に入ることができないという問題点もあった。
【０００８】
そこでこの発明は、上記のような問題点を解決することを課題とするもので、建物の構造に影響を与えることなく、作業者が機械室内に容易に入ることができ、また機械室内においても容易に移動できる等のエレベータを得ることを目的とする。
【０００９】
【課題を解決するための手段】
この発明に係るエレベータは、昇降路の上部で壁に囲まれて形成された機械室と、前記機械室内に設けられ前記昇降路内のかご及びつり合いおもりをロープを介して駆動する巻上機と、前記機械室内の床面に配置され、前記巻上機を上に乗せて支持固定する機械台と、前記機械室内で前記機械台に支持され、少なくとも前記巻上機の周辺部で水平方向に延びた床板とを備えている。
【００１０】
また、前記機械室内に設けられるとともに前記巻上機に電気的に接続され、前記巻上機の駆動を制御する制御盤をさらに備え、前記床板は、前記制御盤の周辺部にまで水平方向に延びている。
【００１１】
また、前記壁には、前記機械室内に出入りする出入口が設けられており、前記床板は、前記床面全体を覆い、前記床板の上面が前記出入口の敷居面と同一高さとなっている。
【００１２】
また、前記機械台は、複数配置され、各機械台の重量負担が軽減されることにより、大きさが小さくなっている。
【００１３】
また、前記機械台は、軸線を有する梁であり、中空で、前記軸線に垂直な平面に沿った断面形状が矩形状となっている。
【００１４】
【発明の実施の形態】
以下にこの発明の実施の形態について説明するが、従来例のものと同一又は同等部材、部位は、同一符号を付して説明する。
実施の形態１．
図１は、この発明の実施の形態１に係るエレベータの側断面図であり、図２は、図１のＩＩ−ＩＩ線に沿った断面図である。なお、図１は、図２のＩ−Ｉ線に沿った断面図である。図１及び図２において、エレベータ１の機械室１０４内に設けられた巻上機１１０は、かご１０７とつり合いおもり１０８とが接触しないようにロープ１０９をそらすそらせ車２を有した巻上機台３に乗せられている。エレベータ１は、機械室１０４内で巻上機１１０を乗せた巻上機台３を支持固定する機械台４を備えている。また、エレベータ１は、この機械台４に支持され、床面１０６全体を覆う床板５を備えている。さらに、エレベータ１は、機械室１０４内に設けられるとともに、巻上機１１０に配線を通じて電気的に接続され、巻上機１１０の駆動を制御する制御盤１２を備えている。ここで、このエレベータ１においては、仕切り壁１０５と床壁１１６とが同一高さ、即ち床面１０６と床壁１１６の上面１１６ａとが同一高さに設けられている。また、このエレベータ１においては、ロープ１０９は、かご１０７及びつり合いおもり１０８にそれぞれ設けられたかごつり車７及びおもりつり車８を介してその一端部１０９ａ及び他端部１０９ｂがそれぞれ機械室１０４内で固定される方式（２対１ローピング）で適用されている。床面１０６上には、機械台４と同一形状の綱止め梁９がベースプレート６を介して配置されており、この綱止め梁９は、機械台４とともにロープ１０９の一端部１０９ａ及び他端部１０９ｂをばね１０及び綱止めプレート１１を介して支持固定している。
【００１５】
機械台４は、床面１０６上にベースプレート６を介して配置されている。この機械台４上には、巻上機台３が乗せられているが、この巻上機台３の重量だけでなく主に巻上機１１０、かご１０７及びつり合いおもり１０８の重量もこの機械台４にかかるので、この機械台４はこの重量に耐えうるだけの強度を有している。機械台４は、断面Ｈ形の梁であり、この機械台４が例えば４本配置されて巻上機台３を支持している。即ち、従来例の機械台１１１の数（２本）よりも多くの数の機械台４が巻上機台３を支持している。従って、機械台４の１本当たりの重量負担は、従来例の機械台１１１の１本当たりの重量負担よりも小さい。ここで、この機械台４は、その機械台４にかかる重量に耐えうる形状及び大きさ等が選択されている。この機械台は、材質、形状が同一であれば、大きさが小さくなると最大許容荷重が小さくなる。即ち、大きさが小さくなるにつれて耐えることのできる荷重の大きさが小さくなる。従って、１本当たりの重量負担が小さくなった各機械台４は、従来例に比べて最大許容荷重の小さい小型のものが適用されている。この各機械台４の高さも、当然のことながら、従来例の機械台１１１の高さに比べて低くなっている。
【００１６】
床板５は、機械台４及び綱止め梁９に支持されて水平に配置されている。この床板５は作業者が乗っても耐えることができる程度の強度を有している。また、この床板５は、その上面５ａが敷居面１１４と同一高さとなるように配置されている。従って、機械台４の高さが従来よりも低くなっていることから、敷居面１１４と床面１０６との高さ差Ｈ１は従来例よりも小さくなっている。
他の構成は従来例と同様である。
【００１７】
このように構成されたエレベータ１は、床板５が機械台４及び綱止め梁９に支持され、しかも床面１０６全面を覆っているので、作業者は障害物のない平らな床を歩くことができ、歩きやすく、つまずく可能性も少なくなる。このことから、作業者が保守点検等の作業をする際にも、容易に巻上機１１０あるいは制御盤１２等の保守点検箇所に近づくことができる。
【００１８】
また、上記の理由により各機械台４の大きさが小さくなって出入口１１５の敷居面１１６の床面１０６からの高さが従来例よりも低くなっているので、建物の構造に影響を与えることなく、即ち仕切り壁１０５と床壁１１６とが同一高さの状態であっても、作業者は、踏み台を用いることなく容易に敷居面１１４を跨いで機械室１０４に入ることができる。また、当然のことながら、作業者が機械室から出ることも容易である。
【００１９】
なお、上記実施の形態においては、かご１０７とつり合いおもり１０８とが接触することを防止するためにそらせ車２を有する巻上機台３が巻上機１１０を支持する構成となっているが、かご１０７とつり合いおもり１０８とが接触する虞がなければ、巻上機台３がなくて巻上機１１０が直接機械台４に支持されていても同様の効果を奏する。
【００２０】
また、上記実施の形態においては、エレベータ１は、２対１ローピングで構成されているが、この構成に限定される必要はなく、かごつり車７及びおもりつり車８がなく、ロープ１０９の一端部１０９ａ及び他端部１０９ｂがそれぞれかご１０７及びつり合いおもり１０８に直接接続される方式（１対１ローピング）であっても、同様の効果を奏する。この場合、機械室１０４内においては、ロープ１０９の一端部１０９ａ及び他端部１０９ｂを支持する綱止め梁９が無くなるので、床板５は複数の機械台４のみで支持されている。
【００２１】
また、床板５は、機械室１０４内の床面１０６全面を覆っているのが望ましいが、巻上機１１０の周辺部のみに設けられていても、巻上機１１０の周辺での作業が容易になり歩きやすくなるので、構わない。さらに、制御盤１２の周辺部のみに床板５が設けられていても同様である。その他、保守点検が必要な箇所の周辺部に床板５が設けられていても同様の効果を奏する。
【００２２】
また、床面１０６と床板５との間の空間に、例えば制御盤１２からの配線、蓄電池あるいは変圧器等の機器を配置することにより、この空間の有効利用が可能となる。これら配線等の取り換え等は、床板５がボルト等により機械台４及び綱止め梁９に着脱可能に固定されていれば、容易に行える。
【００２３】
また、上記実施の形態においては、各機械台４は、断面Ｈ形の梁であるが、この形状に限定される必要はなく、作業者が隣の空間１１２から容易に跨げる程度の敷居面１１４の高さに抑えることができる形状であれば、どのような形状であっても構わない。さらに、例えば各機械台が、中空で断面矩形状の箱形である梁であれば、高さ方向の支持部分が１本の機械台当たり２箇所あることから、機械台の数を少なくすることができる。なお、綱止め梁９についても、同様にである。
【００２４】
また、上記実施の形態においては、床板５の上面５ａと敷居面１１４とが同一高さとなるように構成されているが、敷居面１１４の高さは、作業者が隣の空間１１２から容易に跨いで機械室１０４内に入ることができる高さであれば、床板５の上面５ａの高さよりも高くなっていても構わない。
【００２５】
【発明の効果】
以上の説明から明らかなように、この発明に係るエレベータは、昇降路の上部で壁に囲まれて形成された機械室と、前記機械室内に設けられ前記昇降路内のかご及びつり合いおもりをロープを介して駆動する巻上機と、前記機械室内の床面に配置され、前記巻上機を上に乗せて支持固定する機械台と、前記機械室内で前記機械台に支持され、少なくとも前記巻上機の周辺部で水平方向に延びた床板とを備えているので、前記巻上機の周辺部での保守点検等の作業が容易になる。
【００２６】
また、前記機械室内に設けられるとともに前記巻上機に電気的に接続され、前記巻上機の駆動を制御する制御盤をさらに備え、前記床板は、前記制御盤の周辺部にまで水平方向に延びているので、前記制御盤の保守点検等の作業も容易に行え、前記制御盤と前記巻上機との行き来も容易になる。
【００２７】
また、前記壁には、前記機械室内に出入りする出入口が設けられており、前記床板は、前記床面全体を覆い、前記床板の上面が前記出入口の敷居面と同一高さとなっているので、作業者は、前記出入口に入りやすく、前記機械室内で容易に移動することができる。
【００２８】
また、前記機械台は、複数配置され、各機械台の重量負担が軽減されることにより、大きさが小さくなっているので、前記出入口の敷居面の高さを低くすることができることから、建物の構造に影響を与えることなく前記敷居面を低く抑えることができ、作業者が容易に前記敷居面を跨いで前記機械室内に入ることができる。
【００２９】
また、前記機械台は、軸線を有する梁であり、中空で、前記軸線に垂直な平面に沿った断面形状が矩形状となっているので、高さ方向の支持部分が２箇所あることから、前記機械台の数を減らすことができる。
【図面の簡単な説明】
【図１】この発明の実施の形態１に係るエレベータの側断面図である。
【図２】図１のＩＩ−ＩＩ線に沿った断面図である。
【図３】従来のエレベータの構成を示す側断面図である。
【図４】図３のＩＶ−ＩＶ線に沿った断面図である。
【符号の説明】
１　エレベータ、４　機械台、５　床板、５ａ　上面、１２　制御盤、１０２昇降路、１０３　壁、１０４　機械室、１０６　床面、１０７　かご、１０８つり合いおもり、１０９　ロープ、１１０　巻上機、１１４　敷居面、１１５出入口。
【図１】
2004018145.tif 000003
【図２】
2004018145.tif 000004
【図３】
2004018145.tif 000005
【図４】
2004018145.tif 000006